(57)【要約】【課題】一つのシートの様々な位置に簡単に千切れない強度のインデックスタブを形成できるインデックスシート及び封筒を提供する。【解決手段】矩形状のシートの一辺と平行な折り目１３で折り畳まれて形成される一方の折片である第一折片１１と、折り目１３で折り畳まれて形成される他方の折片である第二折片１２と、第一折片１１又は第二折片１２において、折り目１３上に端点を有するようインデックスタブ形状にミシン目１１６が設けられ、折り目１３に沿って複数並設される切込部１１１とを備える。【選択図】図１Ｂ
2018034304.tif 000002
【特許請求の範囲】
【請求項１】
矩形状のシートからなり、該シートの縁部において綴じられるインデックスシートであって、
前記シートの一辺と平行な折り目で折り畳まれて形成される一方の折片である第一折片と、
前記折り目で折り畳まれて形成される他方の折片である第二折片と、
前記第一折片又は前記第二折片において、前記折り目上に端点を有するようインデックスタブ形状にミシン目が設けられ、前記折り目に沿って複数並設される切込部と、
を備えるインデックスシート。
【請求項２】
請求項１に記載のインデックスシートであって、
前記切込部は、前記折り目と前記ミシン目とで矩形状の外形をなしており、前記折り目に隣接する前記ミシン目の二辺に、一の非切断部を有するよう切れ目が設けられてなるインデックスシート。
【請求項３】
請求項１又は請求項２に記載のインデックスシートであって、
前記切込部は、前記折り目と前記ミシン目とで矩形状の外形をなしており、前記ミシン目の各辺に、一の非切断部を有するよう切れ目が設けられてなるインデックスシート。
【請求項４】
請求項１〜３のいずれか一に記載のインデックスシートであって、
前記第一折片及び第二折片は、前記折り目を除く３つの辺のうち二辺の縁部に該二辺に沿って互いに貼り合わす貼着部を有するインデックスシート。
【請求項５】
請求項４に記載のインデックスシートであって、さらに、
前記貼着部のうち、封筒として切り離し可能に、インデックスシートとして綴じられる側に位置する貼着部に沿って設けられた切離部を備えるインデックスシート。
【請求項６】
フラップを折り畳んだ際に形成される折り目を含む４つの折り目で矩形状の外形をなす封筒において、
前記折り目のうち、少なくとも一の折り目上に端点を有するようインデックスタブ形状にミシン目が設けられ、前記折り目に沿って複数並設される切込部を備える封筒。
【請求項７】
請求項６に記載の封筒であって、
前記切込部は、前記端点を有する折り目と前記ミシン目とで矩形状の外形をなしており、前記折り目に隣接する前記ミシン目の二辺に、一の非切断部を有するよう切れ目が設けられてなる封筒。
【請求項８】
請求項６又は請求項７に記載の封筒であって、
前記切込部は、前記端点を有する折り目と前記ミシン目とで矩形状の外形をなしており、前記ミシン目の各辺に、一の非切断部を有するよう切れ目が設けられてなる封筒。
【発明の詳細な説明】
【技術分野】
【０００１】
本発明は、一つのシートの様々な位置に簡単に千切れない強度のインデックスタブを形成できるインデックスシート及び封筒に関する。
【背景技術】
【０００２】
近年、電子メールやＰＣソフト、インターネットなどによる情報収集、管理なども盛んになっているが、これらを管理するときにはプリントアウトという手段が用いられ、プリントアウトされた情報はファイルやバインダー等によって保管されることも多く、むしろ情報媒体である紙を整理、保管するニーズは益々高まっている。
【０００３】
従来から、これらのファイルやバインダー等に綴られた情報媒体である複数の紙をより整理しやすくすると共に、情報が簡単に取り出せるように、しおりや付箋、糊付けのインデックスタブ、インデックスシート等が目印として使用されている。
【０００４】
そのような目印として使用できる、しおりは、一時的であって保管には向かず、付箋は、剥離しやすく、糊付けインデックス片は、一旦糊付けしてしまうと取り外しにくく、ユーザが、身のまわりにしおりや付箋、糊付けのインデックスタブを常備しているとは限らない。また、インデックスシートは、一般に、インデックスタブの位置が異なる複数のシートが纏まって１つの製品形態で販売されているため、例えば、他の書類の整理にインデックスシートの幾つかを使ってしまい、新たに別のファイルやバインダー等で整理する場合や、インデックスシートを幾つか紛失した場合には、残りのインデックスシートのすべてが使用できなかったり、タブが途中から始まったり、あるいは、タブが並列しないことがあった。
【０００５】
これに対して、インデックスタブを任意の箇所に作成できる器具によって、又は、使用時に、切れ込み状のタブを折り返すによって、所望の位置にインデックスタブを形成する技術が知られている。例えば特許文献１には、書類に直接、簡易インデックスタブを形成する技術が開示されている。
【０００６】
しかしながら、特許文献１に開示された器具で形成される簡易インデックスタブは、図１２Ａに示すように、一枚の折り代５２によって支持され、インデックスタブにかかる負荷はすべて折り代が受ける構造になっているため、少し力が加わると、インデックスタブが千切れてしまう問題があった。これを回避するために、図１２Ｂに示すように、折り代５２の幅を大きくとることで強度を高めることもできるが、シート端部５３からインデックスタブを突出させるためには、切込部５１の折り返し方向の幅を折り代５２の幅よりも大きくする必要がある。結果、インデックスタブの抜き穴が内側に入り込みすぎ、また抜き穴自体が大きくなりすぎるという新たな問題が生ずる。
【０００７】
また、封筒を書棚に保管する際に、封筒に付箋を付したり、インデックスシートを封筒間に挟み込んで、整理、保管することも、仕事などで一般に行われている。付箋については、前述したとおり、剥がれやすいという欠点がある。また、折り返してインデックスタブを形成する態様の封筒はないが、特許文献２に開示された封筒のように、複数のインデックスタブが封筒の一辺に渡って取り付けられ、使用しないインデックスタブを切り取ることで、インデックスタブ付きの封筒を形成できる。
【０００８】
しかしながら、特許文献２に開示された封筒は、複数のインデックスタブが封筒の一辺から突出しているため、美観が悪く、また使用しないインデックスタブを切り取る際には、綺麗に切断するために、そのための器具を別途用意しなければならず、また１つのタブだけを残してすべてのタブを切り取らなければならないので、タブを形成する度に不要なごみが発生する問題があった。
【先行技術文献】
【特許文献】
【０００９】
【特許文献１】特開２００２−２０５４８２号公報
【特許文献２】特開２０１１−５７２８３号公報
【発明の概要】
【発明が解決しようとする課題】
【００１０】
本発明は、従来のこのような問題点に鑑みてなされたものである。本発明の主な目的は、一つのシートの様々な位置にインデックスタブを形成でき、形成されたインデックスタブが簡単に千切れない強度を有するインデックスシート、及び、美観を損なうことなく、器具を使用しなくてもインデックスタブを形成できる封筒を提供することである。
【課題を解決するための手段及び発明の効果】
【００１１】
本発明の第１の側面に係るインデックスシートによれば、矩形状のシートからなり、該シートの縁部において綴じられるインデックスシートであって、前記シートの一辺と平行な折り目で折り畳まれて形成される一方の折片である第一折片と、前記折り目で折り畳まれて形成される他方の折片である第二折片と、前記第一折片又は前記第二折片において、前記折り目上に端点を有するようインデックスタブ形状にミシン目が設けられ、前記折り目に沿って複数並設される切込部とを備えることができる。前記構成により、切込部を折り目に沿って折り返すことで容易にインデックスタブを形成することができ、従来の簡易インデックスタブに比べて破れにくくできる。また、複数のインデックスシートをファイルやバインダー等に綴じる場合、ユーザは、複数並設された切込部の中から他のインデックスシートで選択した切込部と異なる位置の切込部を選択して折り返すことで、一つのシートの様々な位置にインデックスタブを形成でき、複数のインデックスシートの、インデックスタブの位置をそれぞれずらすことができる。
【００１２】
また、本発明の第２の側面に係るインデックスシートによれば、前記切込部は、前記折り目と前記ミシン目とで矩形状の外形をなしており、前記折り目に隣接する前記ミシン目の二辺に、一の非切断部を有するよう切れ目が設けることができる。前記構成により、インデックスタブが不意にめくれることを防止できる。
【００１３】
さらにまた、本発明の第３の側面に係るインデックスシートによれば、前記切込部は、前記折り目と前記ミシン目とで矩形状の外形をなしており、前記ミシン目の各辺に、一の非切断部を有するよう切れ目が設けることができる。前記構成により、製造段階で、不意にインデックスタブがめくれることを防ぎ、不良品の発生を抑えることができる。
【００１４】
さらにまた、本発明の第４の側面に係るインデックスシートによれば、前記第一折片及び第二折片は、前記折り目を除く３つの辺のうち二辺の縁部に該二辺に沿って互いに貼り合わす貼着部を有することができる。前記構成により、第一折片と第二折片とで袋が形成されるため、インデックスシートとしても、書類等を収納可能なポケットファイルとしても使用できる。
【００１５】
さらにまた、本発明の第５の側面に係るインデックスシートによれば、前記貼着部のうち、封筒として切り離し可能に、インデックスシートとして綴じられる側に位置する貼着部に沿って設けられた切離部を備えることができる。前記構成により、綴部から切り離して封筒としても使用できる。また、封筒として使用する際には、インデックスシート内に収納しておいた書類等をそのまま封緘することもできる。
【００１６】
さらにまた、本発明の第６の側面に係る封筒によれば、フラップを折り畳んだ際に形成される折り目を含む４つの折り目で矩形状の外形をなす封筒において、前記折り目のうち、少なくとも一の折り目上に端点を有するようインデックスタブ形状にミシン目が設けられ、前記折り目に沿って複数並設される切込部を備えることができる。前記構成により、切込部を折り目に沿って折り返すことで容易にインデックスタブを形成することができ、従来の簡易インデックスタブに比べて破れにくく、インデックスタブ形成時にはインデックスタブ付きの封筒として、インデックスタブ非形成時にはインデックスタブのない通常の封筒として使い分けることができる。また、複数の封筒を書棚等に収納して管理する場合、ユーザは、複数並設された切込部の中から他の封筒で選択した切込部と異なる位置の切込部を選択して折り返すことで、複数の封筒の、インデックスタブの位置をそれぞれずらすことができる。
【００１７】
さらにまた、本発明の第７の側面に係る封筒によれば、前記切込部は、前記端点を有する折り目と前記ミシン目とで矩形状の外形をなしており、前記折り目に隣接する前記ミシン目の二辺に、一の非切断部を有するよう切れ目が設けられる。前記構成により、インデックスタブが不意にめくれることを防止できる。
【００１８】
さらにまた、本発明の第８の側面に係る封筒によれば、前記切込部は、前記端点を有する折り目と前記ミシン目とで矩形状の外形をなしており、前記ミシン目の各辺に、一の非切断部を有するよう切れ目が設けられる。前記構成により、製造段階で、不意にインデックスタブがめくれることを防ぎ、不良品の発生を抑えることができる。
【図面の簡単な説明】
【００１９】
【図１Ａ】本発明を適用した実施形態１に係るインデックスシートの構成図である。
【図１Ｂ】本発明を適用した実施形態１に係るフラップを備えないタイプのインデックスシートの構成図である。
【図２Ａ】本発明を適用した実施形態１に係るインデックスシートの展開図である。
【図２Ｂ】本発明を適用した実施形態１に係るフラップを備えないタイプのインデックスシートの展開図である。
【図３】インデックスタブの形成方法を説明するための、図３Ａは、非切断部を千切る前の状態を示す図であり、図３Ｂは、非切断部を千切った状態を示す図であり、インデックスタブが形成された状態を示す図である。
【図４】本発明を適用した実施形態２に係るインデックスシートの構成図である。
【図５】本発明を適用した実施形態２に係るインデックスシートの展開図である。
【図６】本発明を適用した実施形態３に係るインデックスシートの構成図である。
【図７】本発明を適用した実施形態３に係るインデックスシートの展開図である。
【図８】本発明を適用した実施形態１に係るインデックスシートの使用方法を説明するための、図８Ａは、異なる位置にインデックスタブを形成した状態を示す図であり、図８Ｂは、異なる位置にインデックスタブを形成した複数のインデックスシートをファイルに綴じた状態を示す図である。
【図９】本発明を適用した実施形態１に係るインデックスシートのポケットファイルとしての使用方法を説明するための図である。
【図１０】本発明を適用した実施形態１に係るインデックスシートの封筒としての使用方法を説明するための、図１０Ａは、ミシン目に沿って切り離す途中の状態を示す図であり、図１０Ｂは、ミシン目に沿って切り離した後の状態を示す図である。
【図１１】本発明を適用した実施形態４に係る封筒の構成図である。
【図１２】従来の簡易インデックスタブを説明するための、図１２Ａは、折り代の幅が小さい状態を示す図であり、図１２Ｂは、折り代の幅が大きい状態を示す図である。
【発明を実施するための形態】
【００２０】
以下、本発明の実施の形態を図面に基づいて説明する。ただし、以下に示す実施の形態は、本発明の技術思想を具体化するためのインデックスシート及び封筒を例示するものであって、本発明はそれらを以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（インデックスシート１）
【００２１】
本発明の実施形態１に係るインデックスシート１の構成図を図１Ａに、展開図を図２Ａに示す。これらの図に示すように、実施形態１に係るインデックスシート１は、図２Ａの展開図に示すような一枚の紙からなり、折り目１３によって分けられる第一折片１１と、第二折片１２とを備える。第一折片１１は、６つの切込部１１１ａ〜１１１ｆを備えており、切込部１１１ａ〜１１１ｆは、各端点が折り目１３上に位置するよう、ミシン目１１２ａ〜１１２ｆが設けられている。
【００２２】
また、第一折片１１は、切り離し可能なミシン目１１６（特許請求の範囲における「切離部」の一例に対応する。）を有する綴部１１７と、開口側の端部に切欠１１８とを備えている。
【００２３】
また、第二折片１２は、開口部１５側の折り目１４に連設するよう設けられ、この折り目１４を基点として折り曲げられるフラップ１２１と、貼着部１２２が設けられる貼着片１２３と、を備えている。
【００２４】
第一折片１１及び第二折片１２は、開口部１５が形成されるよう、貼着片１２３が折り返された状態で貼着部１１４と貼着部１２２とが、互いに貼着されている。なお、インデックスシート１の材料は、一般のインデックスシートに用いられる紙を想定しているが、それ以外の紙でもよいし、例えばクリアファイルに用いられる合成樹脂などを用いてもよい。また、材料の両面又は片面に保護フィルムを貼り付けてもよい。さらにまた、図１Ｂ及び図２Ｂに示すように、フラップ１２１を設けなくてもよい。
（第一折片１１及び第二折片１２）
【００２５】
第一折片１１及び第二折片１２は、折り目１３にて折り返され、貼着部１１４、１２２にて貼着されて形成される袋を構成するための部材である。第一折片１１及び第二折片１２は、図２Ａの展開図に示すような一枚の紙からなり、第二折片１２が第一折片１１よりも大きくなるよう折り目１３によって分けられる。なお、必ずしも第二折片１２の方が大きい必要は無いが、第一折片１１、又は、第二折片１２のサイズの大きい方が綴部１１７を備える。また、第一折片１１と第二折片１２とが同大である場合は、両方が綴部１１７を備える。
（切込部１１１ａ〜１１１ｆ）
【００２６】
切込部１１１ａ〜１１１ｆは、ミシン目１１２の非切断部ＮＣが千切られ、折り目１３に沿って切込部１１１が折り返されて形成されるインデックスタブ１１３を構成するための部材である。６つの切込部１１１ａ〜１１１ｆは、矩形状のミシン目１１２ａ〜１１２ｆと折り目に１３に囲まれてなり、各ミシン目１１２ａ〜１１２ｆの端点が折り目１３上に位置し、折り目１３に沿うよう、第一折片１１に並設されている。
【００２７】
また、図３に示すように、ミシン目１１２の非切断部ＮＣが千切られ、折り目１３に沿って切込部１１１が折り返されることで、インデックスタブ１１３が形成される。このように、インデックスタブ１１３が第二折片１２から連続して形成されるため、インデックスタブ１１３が簡単に千切れることがない。
【００２８】
ここで、ミシン目１１２ａ〜１１２ｆは、一般的なミシン目の形状（切断部と非切断部とが同幅で連続的に繰り返されているもの）に限られず、切断部と非切断部が不連続に繰り返される形態であってもよい。すなわち、ミシン目１１２ａ〜１１２ｆの非切断部ＮＣは、使用時や製造時に不意にめくれない程度に設けられていればよく、少なくとも各辺に１つあればよい。このように、非切断部ＮＣを各辺に１つ形成することで、インデックスタブの形成時に、切込部をめくり易くできる利点もある。また、切込部１１１ａ〜１１１ｆは第一折片１１又は第二折片１２のどちらか一方に、備えられていればよく、数も６つに限定されず、例えば７つ目の切込部１１１ｇを設けてもよい。
（貼着部１１４及び貼着部１２２）
【００２９】
貼着部１１４及び貼着部１２２は、第一折片１１と第二折片１２とを貼り合わすための部材である。なお、貼着部１２２は第二折片１２の側縁部及び下縁部に連設された貼着片１２３に設けられ、インデックスシート１は、図１Ａ及び図２Ａに示すように、側縁部及び下縁部に位置し、折り返された際に対峙する、第一折片１１の貼着部１１４と貼着片１２３が折り返された状態での第二折片１２の貼着部１２２とが、上部の一辺を開口させた状態で互いに貼り合わされ、上部から書類等を出し入れ可能なように開口部１５を設けた袋形状の形態をなしている。なお、貼着部１２２は、前述に限定されず、例えば、第二折片１２に直接貼着部を設けてもよい。
（フラップ１２１）
【００３０】
フラップ１２１は、第一折片１１及び第二折片１２にて形成される袋を閉じるための部材である。フラップ１２１は、外縁部に沿うように封緘用の口糊が塗布されており、第二折片１２の開口部１５側の折り目１４に連設され、ユーザは、口糊に水を含ませることで、インデックスシート１内に収納しておいた書類等をそのまま封緘できる。封緘後に、綴部１１７から切り離して封筒として使用してもよいし、切り離してから、封緘して封筒として使用してもよい。なお、フラップ１２１は第一折片１１に設けられていてもよく、例えば、綴部１１７を有する側の縁部が開口部１５となる形態において、綴部１１７と重ならないような幅のフラップを第一折片１１に備えてもよい。また、フラップ１２１は、勿論、封緘用の口糊が設けられている態様に限定されない。
（綴部１１７）
【００３１】
綴部１１７は、インデックスシート１をファイル等に綴じるための部材である。綴部１１７は、例えば３０個の小穴が設けられており、インデックスシート１は、この３０個の穴を介して、ファイルやバインダー等に綴じられる。なお、綴部１１７は、ファイルやバインダー等に綴じるための３０穴や２穴などの小穴が設けられた態様に限定されない。例えば、綴部１１７は、小穴が設けられていない製本用の綴じ代であってもよく、アイレット綴じ、のり綴じ、中綴じ、リング製本、糸綴じ、平綴じ、無線綴じ、アジロ綴じ、和綴じなどに対応した加工がされていてもよい。
【００３２】
また、綴部１１７は、第二折片１２において、折り目１３と対向する貼着部１２２に沿うよう切り離し用のミシン目１１６を有する。これにより、ファイルへ綴られた状態で綴部１１７から切り離しても袋形状が維持できるので、切り離して封筒としても使用でき、ファイルに綴られたインデックスシート内に収納しておいた書類等をそのまま封緘することもできる。なお、ミシン目１１６の配置は折り目１３と対向する貼着部１２２内に限定されず、インデックスシート１の袋形状を損なわなければよい。例えば、図６及び図５に示すように、第二折片１２の綴部１１７側に開口部１５がある場合、第二折片１２において、第一折片１１の綴部１１７側の辺１１５と重なるようにミシン目１１６を設けてもよい（詳細は後述）。
【００３３】
この綴部１１７を設けることにより、インデックスシート１は、切込部１１１ａ〜１１１ｆを折り返してインデックスタブ１１３を形成しない場合でも、ファイルに綴じることで、第一折片１１と第二折片１２とで形成される袋を収納部としたポケットファイルとして使用できる。
（インデックスシート２）
【００３４】
本実施の形態に係るインデックスシートは、前述の実施形態１に限られず、図４及び図５に示す実施形態２に係るインデックスシート２のように、第一折片２１の折り返しが短く、例えば、第一折片２１が、インデックスタブ２１３ａ〜２１３ｆの幅で折り返されていてもよい。
【００３５】
これらの図に示す実施形態２に係るインデックスシート２は、図５の展開図に示すような一枚の紙からなり、折り目２３によって分けられる第一折片２１と、第二折片２２とを備える。第一折片２１は、６つの切込部２１１ａ〜２１１ｆを備えており、折り返し方向の幅が、切込部２１１ａ〜２１１ｆの幅と同じである。第一折片２１は、折り目２３と第一折片２１の綴部２２３側の辺２１５にかけて、折り返し方向と平行な７つの直線のミシン目２１２ａ〜２１２ｇが設けられる。
【００３６】
切込部２１１ａ〜２１１ｆは、７つの直線のミシン目２１２ａ〜２１２ｇの内の２本と、折り目２３と、第一折片２１の綴部２２３側の辺２１５とに囲まれてなる。また、第二折片２２は、切り離し可能なミシン目２２２を有する綴部２２３を備えている。なお、第一折片２１が、インデックスタブ２１３ａ〜２１３ｆの幅よりも大きく折り返されている場合は、切込部２１１ａ〜２１１ｆは矩形状のミシン目２１２ａ〜２１２ｆと折り目２３に囲まれてなり、ミシン目２１２ａ〜２１２ｆの端点が折り目２３上に位置し、折り目２３に沿うよう、第一折片２１に並設される。
【００３７】
この実施形態２に係るインデックスシート２によれば、紙の使用量を抑えながら、実施形態２と同様に、１つのシートの様々な位置に、簡単に千切れない強度のインデックスタブ２１３を形成できる。
（インデックスシート３）
【００３８】
また、本発明は、フラップを備えず、綴部３２３側に開口部３５が設けられる実施形態３に適用してもよい。この実施形態３に係るインデックスシート３の構成図及び展開図を図６及び図７に示す。
【００３９】
これらの図に示すインデックスシート３は、図７の展開図に示すような一枚の紙からなり、折り目３３によって分けられる第一折片３１と、第二折片３２とを備える。第一折片３１は、６つの切込部３１１ａ〜３１１ｆを備えている。切込部３１１ａ〜３１１ｆは、各端点が折り目３３上に位置するよう、ミシン目３１２ａ〜３１２ｆが設けられている。また、第二折片３２は、切り離し可能なミシン目３２２を有する綴部３２３とを備え、第一折片３１及び第二折片３２は、綴部３２３を有する側の縁部が開口部３５となるよう、貼着部３１４、３２４において互いに貼着されている。
【００４０】
この実施形態３に係るインデックスシート３によれば、実施形態１、２と同様に、１つのシートの様々な位置に、簡単に千切れない強度のインデックスタブ２１３を形成できる。また、ファイルに綴じられた際には、開口部３５がファイルの背表紙によって遮られるので、ポケットに収納された書類等が落下する虞がない。
（インデックスシート１の製造方法）
【００４１】
先ず、材料となる平原判紙又はロール紙を用意する。次に、平原判紙又はロール紙を所定のサイズに裁断する。次に、裁断されたシート材をトムソン機にセットし、トムソン機にて、インデックスシート１を展開時の形状（図２Ａを参照）に打ち抜くと共に、ミシン目１１２ａ〜１１２ｆ、１２２も非切断部ＮＣを残して切断する。
【００４２】
続いて、貼着部１１４又は貼着部１２２のいずれか一方にのり付けし、側縁部に連設された貼着片１２３を折り返す。次に、折り目１３で折り畳むと同時に側縁部の貼着部１１４と貼着部１２２とを互いに貼着する。最後に、下縁部に連設された貼着片１２３を折り畳むと同時に下縁部の貼着部１１４と貼着部１２２とを互いに貼着する。なお、紙の裁断方法には、例えばレーザ加工機を用いてもよい。なお、インデックスシート２、３についても同様に製造できる。
（インデックスシート１の使用方法）
【００４３】
続いて、インデックスシート１の使用方法について、図８〜図１０に基づいて説明する。前述のとおり、切込部１１１は、ミシン目１１２の非切断部ＮＣを千切り、折り目１３に沿って折り返すことで、インデックスタブ１１３を形成し、インデックスシート１として使用することができる（図３を参照）。また、図８Ａに示すように、複数のインデックスシート１において、並設された切込部１１１からそれぞれ異なる切込部を折り返すことで、図８Ｂに示すように、ファイルＦＬに綴じた際にインデックスタブ１１３の位置が異なる複数のインデックスシート１として使用できる。
【００４４】
また、インデックスシート１は、図９に示すように、切込部１１１を折り返さないことで、第一折片１１と第二折片１２とで形成されるポケットファイルとしても使用できる。
【００４５】
さらにまた、インデックスシート１は、図１０Ａに示すように、ファイルＦＬへ綴られた状態から綴部から切り離して、図１０Ｂに示すように、封筒としても使用できる。したがって、インデックスシート１は、インデックスシートとして活用した後、封筒として使用する際には、ファイルＦＬに綴られたインデックスシート１内に収納しておいた書類等をそのまま封緘することもできる。また、最初からインデックスシート１を封筒として使用する場合、ユーザや受け取った相手などが書棚で管理・整理する際に、インデックス機能を活用できる。
（封筒４）
【００４６】
ここまでは、二層のシートの折り目に掛かるようにミシン目が設けられ、ミシン目に沿って千切られ、折り目に沿って折り返されることでインデックスタブが形成されるという本発明の原理をインデックスシートに適用した実施形態について説明してきた。この原理は、単体としての封筒にも適用でき、封筒を管理・整理する際にも機能させることができる。以下、この原理を封筒に適用した実施形態４について説明する。
【００４７】
この実施形態４に係る封筒４の構成図を図１１に示す。この図に示すように、実施形態４に係る封筒４は、フラップ４５を折り畳んだ際に形成される折り目を含む４つの折り目で矩形状の外形をなす封筒において、４つの折り目のうち一方の側部に位置する折り目４４上に端点を有するような矩形状の６つの切込部４１が折り目４４に沿って並設されている。また、切込部４１は、矩形の各辺に非切断部ＮＣが１つ設けられたミシン目４３ａ〜４３ｆと折り目４４とに囲まれてなる。
【００４８】
封筒４を使用する際には、ユーザは、図３に示すように、ミシン目４３の非切断部ＮＣを千切り、折り目４４に沿って切込部４１を折り返すことで、インデックスタブ４２を形成する。
【００４９】
この実施形態４に係る封筒４によれば、美観を損なわず、器具を別途用意することなくインデックスタブ４２が形成できる。また、この封筒４のユーザや受け取った相手などは、書棚で管理・整理する際に、インデックス機能を活用できる。
【００５０】
以上説明したように、実施形態１に係るインデックスシート１は、切込部１１１ａ〜１１１ｆを折り目に沿って折り返すことで容易にインデックスタブ１１３ａ〜１１３ｆを形成することができ、従来の簡易インデックスタブに比べて破れにくく、インデックスシートとしてもポケットファイルとしても使用できる。加えて、綴部１１７をミシン目１１６にて切り離すことで、封筒としても使用できる。なお、実施形態２、３に係るインデックスシート２、３も同様である。また、実施形態４に係る封筒４は、切込部４１を折り目４４に沿って折り返すことで容易にインデックスタブ４２を形成することができ、従来の簡易インデックスタブに比べて破れにくく、インデックスタブ形成時にはインデックスタブ付きの封筒として、インデックスタブ非形成時には通常の封筒として使い分けることができる。
【産業上の利用可能性】
【００５１】
本発明のインデックスシートは、ポケットファイルや封筒としても活用できる。また、本発明の封筒は、インデックスタブ付きの封筒としても活用できる。
【符号の説明】
【００５２】
１…インデックスシート；１１…第一折片；１１１ａ〜１１１ｆ…切込部；１１２ａ〜１１２ｆ…ミシン目；１１３ａ〜１１３ｆ…インデックスタブ；１１４…貼着部；１１５…綴部側の辺；１１６…ミシン目；１１７…綴部；１１８…切欠；１２…第二折片；１２１…フラップ；１２２…貼着部；１２３…貼着片；１３、１４…折り目；１５…開口部
２…インデックスシート；２１…第一折片；２１１ａ〜２１１ｆ…切込部；２１２ａ〜２１２ｆ…ミシン目；２１３ａ〜２１３ｆ…インデックスタブ；２２…第二折片；２２２…ミシン目；２２３…綴部；２３…折り目
３…インデックスシート；３１…第一折片；３１１ａ〜３１１ｆ…切込部；３１２ａ〜３１２ｆ…ミシン目；３１３ａ〜３１３ｆ…インデックスタブ；３１４…貼着部；３１５…綴部側の辺；３２…第二折片；３２１…フラップ；３２２…ミシン目；３２３…綴部；３３、３４…折り目；３５…開口部
４…封筒；４１…切込部；４２…インデックスタブ；４３ａ〜４３ｆ…ミシン目；４４…折り目；４５…フラップ；４６…開口部
５１…切込部
５２…折り代
５３…端部
ＮＣ…非切断部
ＦＬ…ファイル
【図１Ａ】
2018034304.tif 000003
【図１Ｂ】
2018034304.tif 000004
【図２Ａ】
2018034304.tif 000005
【図２Ｂ】
2018034304.tif 000006
【図３】
2018034304.tif 000007
【図４】
2018034304.tif 000008
【図５】
2018034304.tif 000009
【図６】
2018034304.tif 000010
【図７】
2018034304.tif 000011
【図８】
2018034304.tif 000012
【図９】
2018034304.tif 000013
【図１０】
2018034304.tif 000014
【図１１】
2018034304.tif 000015
【図１２】
2018034304.tif 000016